(57)【要約】【課題】無線を利用した防犯警報装置で無線通信の信頼性を向上させ、且つセンサ装置の消費電力を極めて少なくする。および窓の開閉状態をいつでも確認できる防犯警報装置を提供する。【解決手段】  メイン装置は、センサ装置の検出した情報を記憶および表示し、前記センサ装置および前記メイン装置に搭載される無線装置は、互いに送受信するトランシーバーで構成され、前記センサ装置は、前記磁気センサの出力が変化したときだけ無線でその情報を前記メイン装置に送信し、前記センサ装置からの送信信号を受信した前記メイン装置は、受信後誤り検出と識別符号の照合を行い、自身に登録されたセンサ装置からの送信信号であることを確認した後に受信確認信号として受信した電文をそのまま送信し、前記センサ装置は、これを受信し先に自身が送信した電文と一致していることを確認し、一致していないときは、一致するまで所定の回数を限度に送信および受信確認信号の受信動作を繰り返す。【選択図】図５
2011003168.tif 000002
【特許請求の範囲】
【請求項１】
無線で遠隔監視を行うセキュリティーシステムとして使用する防犯警報装置であって、窓や扉等の開閉を検出するセンサ装置と、前記センサ装置の情報を基に警報を発する鳴動装置を備えたメイン装置とで構成され、前記センサ装置は、マグネットと共に窓や扉等に取付けられ、前記マグネットの近接を検出する磁気センサを内蔵し、前記磁気センサの状態を示す符号と前記センサ装置を識別するための識別符号と誤り検出符号を含む電文を無線でメイン装置に送信する無線装置を備え、前記メイン装置は、前記センサ装置が送信した無線を受信する無線装置を備え、前記メイン装置に予め登録された識別符号と前記センサ装置から送信された電文の前記識別符号とを照合する機能を有する防犯警報装置において、前記メイン装置は、センサ装置の検出した情報を記憶および表示し、前記センサ装置およびメイン装置に搭載される無線装置は、互いに送受信するトランシーバーで構成され、前記センサ装置は、前記磁気センサの出力が変化したときだけ無線で情報を前記メイン装置に送信し、この前記センサ装置からの送信信号を受信した前記メイン装置は、受信後誤り検出と識別符号の照合を行い、自身に登録されたセンサ装置からの送信信号であることを確認した後、受信確認信号として受信した電文をそのまま送信し、前記センサ装置は、これを受信し先に自身が送信した電文と一致していることを確認し、一致していないときは、一致するまで所定の回数を限度に送信および受信確認信号の受信動作を繰り返すことを特徴とする防犯警報装置。
【請求項２】
前記センサ装置は、磁気センサの出力の状態を定期的に無線で送信し、前記メイン装置は、これを受信して記憶しているセンサ装置の情報を更新することを特徴とする請求項１の防犯警報装置。
【請求項３】
前記センサ装置は、警報を発する鳴動装置を備え、前記メイン装置は、前記受信確認信号に前記センサ装置が備える鳴動装置を制御する信号を加えて送信し、これを受信した前記センサ装置は、この制御信号に従って警報音を発することを特徴とする請求項１の防犯警報装置。
【請求項４】
前記センサ装置は、前記受信確認信号を所定の回数だけ受信しても電文の一致が得られないときは、自身が備えている鳴動装置により警報音を発することを特徴とする請求項１の防犯警報装置。
【発明の詳細な説明】
【技術分野】
【０００１】  本発明は、無線を応用した防犯警報装置に関するものである。
【背景技術】
【０００２】  磁気センサとマグネットを利用して窓や扉の開閉を検出する防犯警報装置には、窓が開かれると内蔵しているブザーが鳴動して警報を発するだけの機能を有するものがある。このような製品は、不正に窓を開けた者への威嚇と近隣への通報という目的には充分であるが、複数の窓に警報装置を設置する場合は、窓毎に警報装置のスイッチをＯＮ／ＯＦＦしなければならず操作が面倒である。【０００３】  これを改善する方法として、窓に取付けるセンサ装置とこれらを遠隔制御するメイン装置で構成する防犯警報装置とし、センサ装置とメイン装置を配線で接続して複数の窓を遠隔監視する製品があるが、家屋内に配線工事を行う設置費用がかかり、また既設の家屋では屋内に配線が露出することで景観を損ねる。【０００４】  配線を無くす方法としては、センサ装置とメイン装置を無線通信で接続することが有効である。無線を使った防犯警報装置の概要を図１に示す。窓にセンサ装置１を取付け、窓枠の固定部にマグネット２を取付ける。メイン装置４には無線装置３と警報音を発するブザー７が接続されており、且つインターネットなどの通信回線網に接続されている。【０００５】  センサ装置１は、窓の開閉状態を検出した結果を無線で送信する。メイン装置４の無線装置３がこれを受信しブザー７で警報音を発する。警報の受信は、インターネットなどを介して遠隔地より行うこともできる。【０００６】  センサ装置とメイン装置を無線で接続する場合、センサ装置がどのメイン装置に所属しているかを明確にする手段がないと、近隣で電波の届く範囲内に同じ装置が使用されたとき、互いに相手のセンサ装置が発する情報を誤って認識する可能性がある。このためにセンサ装置には識別符号を設け、窓の開閉情報と共に識別符号を送信して、メイン装置は、受信した識別符号の照合を行うようにしている。またセンサ装置に識別符号を設けることで複数のセンサ装置をひとつのメイン装置で管理することもできる。【０００７】  このように無線を使ってセンサ装置とメイン装置を接続する場合に問題となるのは、無線通信の信頼性である。窓の開閉状態がメイン装置に伝わらないことや、情報に誤りがあると防犯警報装置として誤作動を生ずることになる。通信の不安定による誤作動は、誤報や警報が発せられない等、防犯装置としての信頼を損ねることになるので可能な限りこれを無くさなければならない。【０００８】  センサ装置やメイン装置の設置時には、電波が届く範囲内で安定して通信が行えることを充分確認する必要がある。しかし設置時には安定していても近隣で同一周波数帯の電波が使用され始めると電波の干渉が発生して通信が不安定になる可能性もある。このようなことは、無線の専門家ではない一般の利用者には大変わかりにくい問題であり、無線を利用した防犯警報装置を提供する業者にとって無線通信の信頼性の向上は重要な問題である。【０００９】  無線を使用することで利便性が向上しても、センサ装置の消費電力が増加してバッテリーの寿命が短くなることは、利用者にとって好ましくない。センサ装置は、窓に取付けるため大型のバッテリーを搭載することはできない。無線を使用してもセンサ装置の消費電力は可能な限り少なくすることが望まれる。
【発明の開示】
【発明が解決しようとする課題】
【００１０】  本発明が解決しようとする課題は、無線を利用した防犯警報装置で無線通信の信頼性を向上させ、且つセンサ装置の消費電力を極めて少なくすることである。【００１１】  本発明が解決しようとするもう一つの課題は、窓の開閉状態をいつでも確認できる防犯警報装置を提供することである。
【課題を解決するための手段】
【００１２】  本発明では、次に示す手段をもって上記課題を解決する。無線で遠隔監視を行うセキュリティーシステムとして使用する防犯警報装置であって、窓や扉等の開閉を検出するセンサ装置と、前記センサ装置の情報を基に警報を発する鳴動装置を備えたメイン装置とで構成され、前記センサ装置は、マグネットと共に窓や扉等に取付けられ、前記マグネットの近接を検出する磁気センサを内蔵し、前記磁気センサの状態を示す符号と前記センサ装置を識別するための識別符号と誤り検出符号を含む電文を無線でメイン装置に送信する無線装置を備え、前記メイン装置は、前記センサ装置が送信した無線を受信する無線装置を備え、前記メイン装置に予め登録された識別符号と前記センサ装置から送信された電文の前記識別符号とを照合する機能を有する防犯警報装置において、前記メイン装置は、前記センサ装置の検出した情報を記憶および表示し、前記センサ装置および前記メイン装置に搭載される無線装置は、互いに送受信するトランシーバーで構成され、前記センサ装置は、前記磁気センサの出力が変化したときだけ無線でその情報を前記メイン装置に送信し、この前記センサ装置からの送信信号を受信した前記メイン装置は、受信後誤り検出と識別符号の照合を行い、自身に登録されたセンサ装置からの送信信号であることを確認した後、受信確認信号として受信した電文をそのまま送信し、前記センサ装置は、これを受信し先に自身が送信した電文と一致していることを確認し、一致していないときは、一致するまで所定の回数を限度に送信および受信確認信号の受信動作を繰り返す。【００１３】  前記センサ装置は、磁気センサの出力の状態を定期的に無線で送信し、前記メイン装置は、これを受信して記憶しているセンサ装置の情報を更新することもある。【００１４】  前記センサ装置は、警報を発する鳴動装置を備え、前記メイン装置は、前記受信確認信号に前記センサ装置が備える鳴動装置を制御する信号を加えて送信し、これを受信した前記センサ装置は、この制御信号に従って警報音を発することもある。【００１５】  前記センサ装置は、前記受信確認信号を所定の回数だけ受信しても電文の一致が得られないときは、自身が備えている鳴動装置により警報音を発することもある。
【発明の効果】
【００１６】  本発明は、センサ装置が内蔵する磁気センサの出力に変化があったときだけその情報を無線で送信するためセンサ装置の消費電力が極めて少なくでき、センサ装置とメイン装置間の無線通信方式を相互通信として、センサ装置が送信した情報をメイン装置から送り返し、これをセンサ装置で自身が送った内容と一致するまで所定の回数だけ送信を繰り返すことにより情報の不達や誤りを減らして通信の信頼性を向上できる。【００１７】  また所定回数の繰り返し送信を行っても内容の一致が得られなかったときにセンサ装置が備える鳴動装置より警報音を発して通信異常を通知し、利用者に設定や設置のやり直しを促し、機器の異常を通知することもできる。【００１８】  本発明は、メイン装置で記憶している情報を表示あるいは検索することで随時窓の開閉状態を確認できる。センサ装置が定期的に窓の開閉状態を送信してメイン装置が記憶している情報の更新を行うことでメイン装置が記憶する情報の信頼性を向上している。【００１９】  センサ装置が内蔵する鳴動装置をメイン装置からの制御情報に従って鳴動させる機能をもつことで、複数のセンサ装置に対して一斉もしくは個別に警報音の鳴動／非鳴動を設定でき、インターネットを介して遠隔地からもこれらの設定が可能になる。
【発明を実施するための最良の形態】
【実施例】
【００２０】  本発明による防犯警報装置の概要を図５に示す。窓にセンサ装置１を取付け、窓枠の固定部にマグネット２を取付ける。メイン装置４にはパーソナルコンピュータを利用し、パーソナルコンピュータ上で専用ソフトウェアを動作させる。パーソナルコンピュータの内部にはセンサ装置１の情報を記憶する記憶装置５と窓の開閉状態などを表示するディスプレイ６と警報音を発するブザー７が備えられており、かつパーソナルコンピュータは、インターネットなどの通信回線網に接続されている。センサ装置１との無線通信を行うメイン装置用の無線装置３は、ＵＳＢなどの外部インターフェースで前記パーソナルコンピュータに接続されている。メイン装置４は、無線装置、記憶装置、ディスプレイ、ブザー、通信回線網インターフェースおよびＣＰＵが一の筐体に納めた専用装置とすることも可能である。【００２１】  センサ装置１は、窓の開閉状態を検出した結果を無線で送信する。メイン装置用の無線装置３がこれを受信しパーソナルコンピュータは、その情報を記憶装置５に記憶し、同時にディスプレイ６に窓の状態を表示する。専用ソフトウェアを「警戒開始」に設定すると、それ以後に窓の開閉状態が変化してセンサ装置１がこれを検出し、無線を通じてパーソナルコンピュータがこの情報を受け取ると記憶していた以前の情報と比較し、その結果に応じてブザー７で警報音を発し、ディスプレイ６に注意を表示するなどの動作を行う。センサ装置１にも警報音を発するブザーを搭載することができる。警報の受信や窓の開閉状態の確認、設定作業は、インターネットなどを介して遠隔地より行うこともできる。【００２２】  図２は、本発明の防犯警報装置の具体的事例としてセンサ装置とメイン装置の無線通信を時間経過で示したものである。センサ装置の送信をメイン装置が受信しメイン装置は、受信後誤り検出と識別符号の照合を行い、自身に登録されたセンサ装置からの送信信号であることを確認した後に受信確認信号として受信した電文と同じ電文を送信する。受信確認信号を受信したセンサ装置は、自身が送った電文と受信した受信確認信号の電文を比較して一致していれば一連の送信動作を終了する。【００２３】  電文が一致していない場合は、再度同じ内容の送信を行い受信確認信号の受信を行う。この一連の動作を電文が一致するまで繰り返すことにより確実な通信を確保する。最大の繰り返し回数ｎは、あらかじめ設定しておく。【００２４】  前記最大の繰り返し回数の再送信を行っても電文の一致が得られない場合、センサ装置が備えている鳴動装置から警報音を発して利用者に知らせることもできる。ある程度の回数を繰り返しても正常な無線通信が行えないときは、電波が届いていない、妨害を与える電波が存在する、設定に何らかの誤りがある、あるいは機器に何らかの異常が生じているなどの可能性があるため利用者にこの状況を知らせ適切な対策を行ってもらうようにする。【００２５】  このセンサ装置からの送信は、センサ装置が内蔵している磁気センサの出力に変化があったとき（窓の開閉状態が変わったとき）のみ行われるためセンサ装置の消費電力は極めて少ない。これは、上記本発明の方法で通信の信頼性を確保できているからセンサ装置からの送信をセンサに変化があったときのみに限定することが可能になる。【００２６】  何らかの理由でパーソナルコンピュータ内（メイン装置）に記憶している窓の開閉状態を示すデータが破壊または削除されると、窓の状態変化が正常に判断できなくなりメイン装置で窓の開閉状態を確認することができなくなる。また、後述するセンサ装置へ制御信号を送信する機能を有する場合にこのような異常が発生すると、センサ装置が窓の開閉状態に変化があったときに送信を行っても警報が発せられないことがある。【００２７】  そこで図３に示すようにセンサ装置から定期的に窓の開閉状態を送信してパーソナルコンピュータに記憶している情報を更新し、異常がある場合は自己修復する機能を持つことでこのような異常事態を回避できる。なお図３ではｔ秒の一定間隔で送信しているが、本発明の目的では必ずしも送信の時間間隔が一定である必要はない。またセンサ装置の消費電力を低減するためにはこの時間間隔が長い方が望ましいが、最初にメイン装置を起動したときに窓の開閉状態の情報が得られるまでの時間が長いのは利便性を欠くので本発明人の実施例では、１２０秒としている。【００２８】  センサ装置から送られた電文をメイン装置の設定状態に応じて部分的に変更して受信確認信号として返送することで、メイン装置からセンサ装置の警報音の鳴動を制御できる。図４にこのときの受信確認信号を示す。センサ装置は、電文の一部に防犯警報装置の状態（警戒状態：鳴動可能または警戒解除状態：非鳴動）を示す制御信号（符号）を含めて送信し、メイン装置は自身の設定に応じてこの符号を変えて返送している。センサ装置は、前述の再送信を判断する電文の一致条件としてこの制御信号部分を除いて判断する。【００２９】  制御信号は、センサ装置が窓の開閉状態の変化を検出したときに警報音を鳴らすか鳴らさないかを決定すればよいので、受信確認信号に制御信号を付加して送信することはタイミングとして間に合う。また予め制御信号を単独で送信する場合に比較してセンサ装置のバッテリー消費量を低減できる。【００３０】  この方法では、センサ装置のスイッチ操作でセンサ装置ごとに警戒状態−警戒解除状態の設定を行い、メイン装置でその状態を表示し確認できることに加えて、メイン装置からもセンサ装置毎あるいは複数のセンサ装置の状態を一斉に変更することが可能になる。【００３１】  センサ装置が内蔵する鳴動装置は、通常センサ装置を取付けた窓が開けられたときに鳴動する。しかし状況によっては、窓が開けられたときに鳴動して欲しくない場合がある。例えば管理者が在宅中で管理者自身が窓を開けるような場合は、センサは動作しても警報音は鳴らしたくない。センサ装置のスイッチで鳴動をＯＦＦに設定することも可能であるが、センサ装置が複数設置されている場合は、設定の変更作業が大変面倒である。【００３２】  メイン装置からの制御信号に従って鳴動させる機能をもつことで、複数のセンサ装置に対して一斉もしくは個別に警報音の鳴動／非鳴動を設定でき、しかもインターネットを介して遠隔地からもこれらの設定や確認が可能であるから、外出時にすべての窓を施錠した後屋外から携帯電話でシステムを「警戒状態」（鳴動可能）に設定し、帰宅時には「���戒解除状態」（非鳴動）に設定してから入室するといったことが可能になる。
【図面の簡単な説明】
【００３３】
【図１】  無線防犯警報装置の概要
【図２】  本発明による防犯警報装置の無線通信
【図３】  本発明によるセンサ装置の定期的な送信
【図４】  本発明による制御信号を付加した受信確認信号の送信
【図５】  本発明による無線防犯警報装置の概要
【符号の説明】
【００３４】      １  センサ装置
２  マグネット
３  メイン装置用無線装置
４  メイン装置
５  記憶装置
６  ディスプレイ
７  ブザー
８  窓
【図１】
2011003168.tif 000003
【図２】
2011003168.tif 000004
【図３】
2011003168.tif 000005
【図４】
2011003168.tif 000006
【図５】
2011003168.tif 000007